(57)【特許請求の範囲】
【請求項１】
少なくともアラーム時刻と監視対象者の電話番号を設定する設定手段と、
前記設定されたアラーム時刻になったとき、アラーム音を出力する出力手段と、
前記監視対象者の操作により前記アラーム音を停止させる安否確認手段と、
前記安否確認手段が操作されて前記アラーム音が停止されたとき前記監視対象者の安否が確認されたと判断し、前記安否確認手段が操作されずに前記アラーム音が出力され続けた後に前記監視対象者の携帯電話又は外出先の電話番号に発呼し、前記監視対象者から応答があった場合は、前記監視対象者の安否が確認されたと判断し、前記監視対象者からの応答がなかった場合は、前記監視対象者の安否が確認できないと判断する制御手段と、
前記監視対象者の安否が確認できないと判断された場合に、通報宛先に通報を行なう連絡手段と、
を有し、
現在の設定を記憶する記憶手段をさらに有し、
前記設定手段には、前記監視対象者が外出する場合には外出設定が行われ、
前記制御手段は、前記設定されたアラーム時刻になったとき最初に外出設定されているのかを判断し、外出設定されていない場合は、前記出力手段からアラーム音を出力し、外出設定されている場合は、前記設定されたアラーム時刻になっても前記出力手段から前記アラーム音を出力させず、前記記憶部に外出通報日数を記憶し、
前記連絡手段は、前記記憶した外出通報日数になったとき、前記監視対象者の携帯電話又は外出先の電話番号に発呼することを特徴とする安否確認装置。
【請求項２】
前記制御手段は、前記安否確認手段が操作されずに前記アラーム音が所定時間出力され続けたときに前記アラーム音を前記通報宛先への通報を予告するための警告音に変えて前記安否確認手段の操作を促し、前記安否確認手段が操作されたとき前記監視対象者の安否が確認されたと判断し、前記安否確認手段が操作されることなく前記警告音が所定回数出力されたとき、前記監視対象者の携帯電話又は外出先の電話番号に発呼することを特徴とする請求項１に記載の安否確認装置。
【請求項３】
前記監視対象者の携帯電話又は外出先の電話番号に発呼した際に、前記監視対象者からの応答があった場合に、前記通報のキャンセルを促すガイダンス音を出力し、
前記通報がキャンセルされた場合に、前記連絡手段は前記通報を行わず、
前記通報がキャンセルされない場合に、前記連絡手段は前記通報を行なうことを特徴とする請求項１又は２に記載の安否確認装置。
【請求項４】
少なくともアラーム時刻を設定し、
前記設定されたアラーム時刻になったとき、アラーム音を出力し、
前記アラーム音が停止されたとき前記監視対象者の安否が確認されたと判断し、
前記安否確認手段が操作されずに前記アラーム音が出力され続けた後に、前記監視対象者の携帯電話又は外出先の電話番号に発呼し、
前記監視対象者から応答があった場合は、前記監視対象者の安否が確認されたと判断し、
前記監視対象者からの応答がなかった場合は、前記監視対象者の安否が確認できないと判断し、
前記監視対象者の安否が確認できないと判断された場合に、通報宛先に通報を行ない、
前記監視対象者が外出する場合には外出設定を行ない、
前記設定されたアラーム時刻になったとき最初に外出設定されているのかを判断し、
外出設定されていない場合は、前記アラーム音を出力し、
外出設定されている場合は、前記設定されたアラーム時刻になっても前記アラーム音を出力させずに外出通報日数を記憶し、
前記記憶した外出通報日数になったとき、前記監視対象者の携帯電話又は外出先の電話番号に発呼することを特徴とする安否確認方法。
【請求項５】
前記アラーム音が所定時間出力され続けたときに前記アラーム音を前記通報宛先への通報を予告するための警告音に変え、
前記警告音が停止されたとき前記監視対象者の安否が確認されたと判断し、
前記警告音が所定回数出力されたとき、前記監視対象者の携帯電話又は外出先の電話番号に発呼することを特徴とする請求項４に記載の安否確認方法。
【請求項６】
前記監視対象者の携帯電話又は外出先の電話番号に連絡した際に、前記監視対象者からの応答があった場合に、前記通報のキャンセルを促すガイダンス音を出力し、
前記通報がキャンセルされた場合には、前記通報を行わず、
前記通報がキャンセルされない場合に、前記通報を行なうことを特徴とする請求項４又は５に記載の安否確認方法。
【発明の詳細な説明】
【技術分野】
【０００１】
本発明は、一人暮らしの高齢者などの監視対象者の安否を確認する安否確認装置及び安否確認方法に関する。
【背景技術】
【０００２】
近年、一人暮らしをするお年寄りが増加傾向にあり社会問題になっている。近所と交流もない人も多く、誰にも気づかれずに亡くなっているケースも多々ある。
【０００３】
このような状況下で、毎日ホームヘルパーを雇うことはお金がかかりすぎて現実に実行することは難しい。親族が毎日電話をかけることも、いくら親族といっても気が引けるものである。また、カメラでの監視はプライバシーの問題と常時見ていなくてはならないという点から良い選択ではないと考えられる。
【０００４】
電気ポットやテレビなどの家庭用電化製品を使用したのかを検出することによって、問題なく生活を送っているのかを確認する方法もあるが、日によってはその電化製品を使うことがない日もあることや外出している場合があることについては考慮されていない。
【０００５】
これを解決するための従来技術として、アラーム音を出力して一定時間内に所定のボタンが押下されたかを監視する方法や、外出時に外出日数等の外出設定を登録する方法等がある（例えば、特開２００３−１５８５８９号公報（特許文献１）、特開２００５−２５７０２号公報（特許文献２）、特開２００５−９４３４２号公報（特許文献３）、特開２００７−１９８９９３号公報（特許文献４）、特開２００７−２２１４７４号公報（特許文献５）参照）。
【先行技術文献】
【特許文献】
【０００６】
【特許文献１】特開２００３−１５８５８９号公報
【特許文献２】特開２００５−２５７０２号公報
【特許文献３】特開２００５−９４３４２号公報
【特許文献４】特開２００７−１９８９９３号公報
【特許文献５】特開２００７−２２１４７４号公報
【発明の概要】
【発明が解決しようとする課題】
【０００７】
しかし、上記特許文献１〜５の方法では、外出時の対応や外出設定のし忘れに対する対応が十分ではなかった。
【０００８】
本発明の目的は、上述した従来技術の課題を解決するための技術を提供することにあり、監視対象者の安否を確認する際に、外出時の対応や外出設定のし忘れに対する対応が可能な安否確認装置及び安否確認方法を提供することにある。
【課題を解決するための手段】
【０００９】
本発明に係る安否確認装置は、
少なくともアラーム時刻と監視対象者の電話番号を設定する設定手段と、
前記設定されたアラーム時刻になったとき、アラーム音を出力する出力手段と、
前記監視対象者の操作により前記アラーム音を停止させる安否確認手段と、
前記安否確認手段が操作されて前記アラーム音が停止されたとき前記監視対象者の安否が確認されたと判断し、前記安否確認手段が操作されずに前記アラーム音が出力され続けた後に前記監視対象者の予め登録された電話番号に発呼し、前記監視対象者から応答があった場合は、前記監視対象者の安否が確認されたと判断し、前記監視対象者からの応答がなかった場合は、前記監視対象者の安否が確認できないと判断する制御手段と、
前記監視対象者の安否が確認できないと判断された場合に、所定の通報を行なう連絡手段と、
を有することを特徴とする。
【００１０】
また、本発明に係る安否確認方法は、
少なくともアラーム時刻と監視対象者の電話番号を設定し、
前記設定されたアラーム時刻になったとき、アラーム音を出力し、
前記アラーム音が停止されたとき前記監視対象者の安否が確認されたと判断し、
前記安否確認手段が操作されずに前記アラーム音が出力され続けた後に、前記監視対象者の予め登録された電話番号に発呼し、
前記監視対象者から応答があった場合は、前記監視対象者の安否が確認されたと判断し、
前記監視対象者からの応答がなかった場合は、前記監視対象者の安否が確認できないと判断し、
前記監視対象者の安否が確認できないと判断された場合に、所定の通報を行なうことを特徴とする。
【発明の効果】
【００１１】
本発明によれば、監視対象者の安否を確認する際に、外出時の対応や外出設定のし忘れに対する対応が可能になる。
【図面の簡単な説明】
【００１２】
【図１】本発明の実施の形態に係る安否確認装置の構成を示す図である。
【図２】本発明の実施の形態に係る安否確認装置の動作を説明するためのフローチャートである。
【図３】本発明の実施の形態に係る安否確認装置の動作を説明するためのフローチャートである。
【発明を実施するための形態】
【００１３】
本発明の実施の形態について図面を参照して詳細に説明する。
【００１４】
図１を参照して、本発明の実施の形態に係る安否確認装置（通報装置）の構成について説明する。
【００１５】
図１に示すように、安否確認装置１００は、公衆回線２００を介して、対象者携帯電話３００、外出先電話４００及び通報宛先５００にそれぞれ接続されている。
【００１６】
安否確認装置１００は、安否確認ボタン１０１、設定ボタン１０２、ダイヤル検出部１０３、スピーカ１０４、LCDのような表示部１０５、無線通信部１０６、記憶部１０７及び制御部１０８を有する。
【００１７】
スピーカ１０４は、アラーム音あるいは警告音を出力させる。安否確認ボタン１０１は、スピーカ１０４から出力されるアラーム音あるいは警告音を停止させるもので、この入力によって監視対象者の安否確認が判断される。
【００１８】
設定ボタン１０２は、アラーム時間、外出設定、外出通報日数及び対象者の電話番号の設定を行うものである。ここで、外出通報日数とは、連続で外出が続いたら通報を行う日数である。ダイヤル検出部１０３は、対象者携帯電話３００あるいは外出先電話４００から遠隔で通報のキャンセルを実現するためのものである。
【００１９】
表示部１０５は、現在の時刻、アラーム設定時刻及び外出設定を表示するものである。無線通信部１０６は、通報を行う時に使用するものである。記憶部１０７は、現在の設定を記憶しておくものであり、外出設定の場合に何日間外出しているのかが記憶される。制御部１０８は、安否確認ボタン１０１、設定ボタン１０２、ダイヤル検出部１０３、スピーカ１０４、表示部１０５、無線通信部１０６及び記憶部１０７の制御を行う。
【００２０】
次に、図２及び図３を参照して、本発明の実施の形態に係る安否確認装置１００の動作について説明する。
【００２１】
まず、設定ボタン１０２を用いてアラーム時刻の設定を行う。外出する場合も設定ボタン１０２を用いて設定する。
【００２２】
図２に示すように、アラームの設定時刻になったら最初に外出設定されているのか否かを判定する（ステップ６００）。
【００２３】
判定の結果、出設定されていなければ（通常運用）、スピーカ１０４からアラーム音を出力させる（ステップ６０１）。
【００２４】
次に、安否確認ボタン１０１が押下されたか否かが判定される（ステップ６０２）。
【００２５】
判定の結果、安否確認ボタン１０１が押下された場合は、アラーム音が停止され、監視対象者の安否が確認されたと判断し、通報宛先５００に通報は行わない。
【００２６】
一方、判定の結果、安否確認ボタン１０１が押下されずに、アラーム音が出力され続けたらアラーム音が警告音に変わる（ステップ６０３）。ここで、アラーム音は、例えば、１０分程度出力される。また、警告音とは、例えば、「まもなく通報します。通報の必要がなければ安否確認ボタンを押して下さい。」のような音声ガイダンスのことである。
【００２７】
次に、通報の最終確認段階に遷移し、安否確認ボタン１０１が押下されたか否かが再度判定される（ステップ６０４）。
【００２８】
判定の結果、安否確認ボタン１０１が押下されたら、監視対象者の安否が確認されたと判断し、通報宛先５００に通報は行わない。
【００２９】
一方、判定の結果、安否確認ボタン１０１が押下されることなく、所定回数（例えば、１０回）警告音が出力されたら、監視対象者の予め登録された電話番号（対象者携帯電話３００あるいは外出先電話４００）に連絡が行く（電話番号に発呼する）（ステップ６０５）。
【００３０】
次に、監視対象者から応答があったか否かが判定される（ステップ６０６）。
【００３１】
判定の結果、監視対象者から応答があった場合は、監視対象者の安否が確認されたと判断して、通報宛先５００に通報を行なわない。
【００３２】
一方、判定の結果、監視対象者からの応答がなかった場合は、監視対象者の安否が確認できないと判断して、通報宛先５００に通報を行なう（ステップ６０７）。
【００３３】
また、ステップ６００での判定の結果、外出設定ありと判定されて場合には、アラームの設定時刻がきてもアラーム音は出力されず、記憶部１０７に外出日数が記憶される（ステップ６０８）。尚、外出設定が解除されたらこの記憶部１０７はクリアされる。
【００３４】
次に、外出日数がＸ日以上かどうかが判定される（ステップ６０９）。つまり、設定した外出通報日数になったかどうかが判定される。
【００３５】
判定の結果、設定した外出通報日数になったら、監視対象者の予め登録された電話番号（対象者携帯電話３００あるいは外出先電話４００）に連絡が行く（電話番号に発呼する）（ステップ６１０）。
【００３６】
次に、監視対象者から応答があったか否かが判定される（ステップ６１１）。
【００３７】
判定の結果、監視対象者から応答があった場合は、監視対象者の安否が確認されたと判断して、通報宛先５００には通報を行なわない。
【００３８】
一方、判定の結果、監視対象者からの応答がなかった場合は、監視対象者の安否が確認できないと判断して、通報宛先５００に通報を行なう（ステップ６０７）。
【００３９】
次に、図３を参照して、図２のステップ６０６及びステップ６１１で、監視対象者から応答があったか否かが判定され、その結果、監視対象者から応答があった場合の処理について説明する。
【００４０】
図３に示すように、監視対象者から応答があったか否かが判定される（ステップ７００）。
【００４１】
判定の結果、監視対象者から応答があった場合は、スピーカ１０４から所定のガイダンス音が出力される（ステップ７０１）。このガイダンス音は、例えば、「通報をキャンセルしたい場合は１をダイヤルして下さい」というガイダンス音である。
【００４２】
次に、通報がキャンセルされたか否かが判定される（ステップ７０２）。
【００４３】
判定の結果、通報がキャンセルされた場合には、監視対象者の安否が確認されたと判断して、通報宛先５００には通報を行なわない。
【００４４】
一方、判定の結果、通報がキャンセルさなかった場合には、監視対象者の安否が確認できないと判断して、通報宛先５００に通報を行なう（ステップ７０３）。
【００４５】
このようにして、監視対象者の安否を確認する。この際、外出時の対応や外出設定のし忘れに対する対応が可能になる。
【００４６】
本発明の実施の形態によれば、一人暮らしのお年寄りや体の不自由な方向けに電化製品（例えば、目覚まし時計）を使用している感覚で、安否確認装置１００を使用することができる。このように、誰でも使用できて生活にとけこんでいる電化製品を使用するような感覚で安否確認装置１００を使用することが可能になる。また、監視対象者にとって生活の妨げにならず抵抗感もない。
【００４７】
以上、本発明の実施の形態について具体的に説明したが、本発明は上述の実施形態に限定されるものではなく、本発明の技術的思想に基づく各種の変形が可能である。
【００４８】
例えば、本発明は、マンション・アパートの管理人による住居者の安否確認、役所によるお年寄りの安否確認、老人ホームなどの福祉施設での安否確認などに広く使用可能である。
【符号の説明】
【００４９】
１００  安否確認装置
１０１  安否確認ボタン
１０２  設定ボタン
１０３  ダイヤル検出部
１０４  スピーカ
１０５  表示部
１０６  無線通信部
１０７  記憶部
１０８  制御部
２００  公衆回線
３００  対象者携帯電話
４００  外出先電話
５００  通報宛先
【図１】
0005283197.tif 000002
【図２】
0005283197.tif 000003
【図３】
0005283197.tif 000004